(57)【特許請求の範囲】
【請求項１】
マスク本体の少なくとも一部に、延伸されたポリエステル樹脂からなる線状物を顔の凹凸に合うように加熱変形させてなる形状保持材を具備してなるマスクであって、当該形状保持材が、下記式（１）で表される復元率が８５％以上であることを特徴とするマスク。
復元率＝１００％−〔（元の高さ−変形回復後の高さ）／１０ｍｍ〕×１００％・・式（１）
元の高さ（ｍｍ）：形状保持材の凸部（鼻高部）のトップ、
変形回復後の高さ（ｍｍ）：凸部のトップ（元の高さ：ｍｍ）を、２３℃で、変計量１０ｍｍで５秒間押さえた後、応力を開放し、３０秒後の高さ。
【請求項２】
線状物の加熱変形を、６０℃以上〜ポリエステル樹脂の融点未満の温度で行うことを特徴とする請求項１に記載のマスク。
【請求項３】
ポリエステル樹脂が、ポリエチレンテレフタレート樹脂、ポリブチレンテレフタレート樹脂及びポリ乳酸のいずれかであることを特徴とする請求項１または２に記載のマスク。
【請求項４】
マスク本体が、不織布であることを特徴とする請求項１に記載のマスク。
【請求項５】
不織布が、ポリプロピレンスパンボンド不織布であることを特徴とする請求項４に記載のマスク。
【発明の詳細な説明】
【技術分野】
【０００１】
本発明は、マスクを装着した際に、鼻骨から頬骨にかけて隙間なくフィットし、花粉、粉塵、ウイルスの侵入を防止することができるマスクに関する。
【背景技術】
【０００２】
従来のマスクは、マスク本体の両端に取り付けられたゴム材である掛け紐を両耳に掛け、その掛け紐の弾力性のみにより、マスク本体を顔に密着させていた。しかしながら、顔の形状、特にマスク本体が覆う鼻及び口の部分は凹凸に富むから、マスク本体の掛け紐のみではマスク本体とこれが覆う鼻及び口の部分との間に掛け紐の弾力性により隙間が出来、その隙間から外気が侵入して花粉症の人ではくしゃみは止まらない結果となる。逆に吐く息が隙間から漏れたりして、メガネを掛けている人はレンズが曇り、病院の手術室ではその隙間から細菌が出入りして、マスクとしての役割が減少する虞がある。
【０００３】
マスク本体を顔に密着させる手段として、例えば、マスク上端に形状保持材として、７〜１６倍に延伸して塑性変形性を１８０度及び９０度折り曲げによる戻り角度を２０度以下になるようにしたポリエチレン延伸物からなる形状保持材を用いる方法（特許文献１：実用新案登録第３０４５９９５号公報）、あるいは、圧延倍率５〜１６倍、延伸倍率１．３〜２．５倍及び総延伸倍率１０〜４０倍のポリオレフィン系樹脂からなる形状保持性材料を用いる方法（特許文献２：特開２００５−３５１４８号公報）などが提案されている。
【０００４】
しかしながら、ポリエチレンなどの延伸物は、手などで変形した後の形状保持性はあるものの、時間の経過とともに、幾分変形が回復して元の形（直線状）に戻る傾向にあり、鼻骨などの起伏が大きい部分の隙間をなくすには不十分であることが判った。
【先行技術文献】
【特許文献】
【０００５】
【特許文献１】特開２００５−３５１４８号公報
【特許文献２】実用新案登録第３０４５９９５号公報
【発明の概要】
【発明が解決しようとする課題】
【０００６】
本発明は、剛性に優れ、容易に変形し難く、しかも変形させた場合の復元性（変形しても元の形に戻る性質）に優れる、鼻骨などの起伏が大きい部分の隙間をも埋め得る形状保持性に優れる形状保持材を備えてマスクを開発することを目的として、種々検討した結果、延伸されたポリエステル樹脂からなる線状物を加熱変形することにより、剛性に優れ、しかも変形させた場合の復元性に優れる形状保持材となることを見出した。
【課題を解決するための手段】
【０００７】
本発明は、マスク本体の少なくとも一部に、延伸されたポリエステル樹脂からなる線状物を顔の凹凸に合うように加熱変形させてなる形状保持材を具備してなるマスクであって、当該形状保持材が、下記式（１）で表される復元率が８５％以上であることを特徴とするマスクを提供することにある。
【０００８】
復元率＝１００％−〔（元の高さ−変形回復後の高さ）／１０ｍｍ〕×１００％・・式（１）
元の高さ（ｍｍ）：形状保持材の凸部（鼻高部）のトップ、
変形回復後の高さ（ｍｍ）：凸部のトップ（元の高さ：ｍｍ）を、２３℃で、変計量１０ｍｍで５秒間押さえた後、応力を開放し、３０秒後の高さ。
【発明の効果】
【０００９】
本発明のマスクは、マスク本体の一部に、剛性に優れ、容易に変形し難く、復元性（変形しても元の形に戻る性質）に優れるポリエステル樹脂からなる形状保持材が付設されているので、マスクと鼻骨などの顔面との隙間をなくすことができ、しかも、長時間装着しても、体温で変形することもなく、ずれ落ちに難い為、花粉、粉塵、ウイルスの侵入を防止できる。又、装着時のフィット感から安心感が得られる。
【図面の簡単な説明】
【００１０】
【図１】本発明に係るマスクの斜視図である。
【図２】型枠の正面図及び側面図である。
【図３】マスクの形状保持材が挿入された部と顔の隙間の測定箇所を示す図である。
【発明を実施するための形態】
【００１１】
＜ポリエステル樹脂＞
本発明のマスクに用いる形状保持材の素材となるポリエステル樹脂は、ポリエチレングリコール、トリメチレングリコール、１，３−プロパンジオール、１，４−ブタンジオール、１，４−シクロヘキサンジメタノールなどの多価アルコールとテレフタル酸、イソフタル酸、２，６−ナフタレンジカルボン酸、コハク酸、グルタル酸、アジピン酸などのジカルボン酸から得られるポリエステル樹脂、あるいは乳酸などのヒドロキシ酸から得られるポリ乳酸などのポリエステル樹脂で、結晶性の樹脂である。これらポリエステル樹脂としては、具体的には、ポリエチレンテレフタレート（ＰＥＴ）、ポリブチレンテレフタレート（ＰＢＴ）、ポリエチレンナフタレート（ＰＥＮ）、ポリメチレンテレフタレート（ＰＴＴ）、ポリ乳酸（ＰＬＡ）などが挙げられる。
【００１２】
ポリエステル樹脂の分子量は、溶融押出し成形してフィラメント、テープなどの線状物とし得る限り、とくに限定はされず、市販のポリエステル樹脂を用い得る。
【００１３】
これら、ポリエステル樹脂の中でも、ＰＥＴ、ＰＢＴ、ＰＬＡが、押出し成形性に優れるので、好ましく、とくにＰＥＴが好ましい。
【００１４】
＜形状保持材＞
本発明に係る形状保持材は、前記ポリエステル樹脂から得られる延伸されたポリエステル樹脂からなる線状物を顔の凹凸に合うように加熱変形させてなる形状保持材であって、下記式（１）で表される当該形状保持材の凸部を、２３℃で、変計量１０ｍｍで変形させた際の復元率が８５％以上、好ましくは９０〜９９％である形状保持材である。
【００１５】
復元率＝１００％−〔（元の高さ−変形回復後の高さ）／１０ｍｍ〕×１００％・・式（１）
元の高さ（ｍｍ）：形状保持材の凸部（鼻高部）のトップ、
変形回復後の高さ（ｍｍ）：凸部のトップ（元の高さ：ｍｍ）を変計量１０ｍｍで５秒間押さえた後、応力を開放し、３０秒後の高さ。
【００１６】
本発明に係る形状保持材は、前記ポリエステル樹脂を溶融押出して、ストランドを得た後、延伸、好ましくは８０〜１００℃の温度で、３〜５倍に延伸した後、冷却、好ましくは４０〜５０℃の温度で冷却して得た非晶状態あるいは低結晶状態の線状物を顔面の凹凸に合うように、加熱変形して結晶化させることにより得られる。
【００１７】
非晶状態あるいは低結晶状態のポリエステル樹脂の線状物を加熱変形して結晶化させる際の温度は、線状物の結晶化度が増す温度であれば、とくに限定はされないが、通常、５５℃以上〜ポリエステル樹脂の溶融温度未満であり、例えば、ポリエステル樹脂としてＰＥＴを用いる場合は、５５〜１６０℃、好ましくは６０〜１３０℃で、１〜５秒間行うことにより、より結晶化度を増すことができるので、得られる形状保持材は剛性が増すので、形状保持性に優れ、容易に変形し難く、しかも弾性回復性（変形回復性）に優れる。
【００１８】
本発明に係る形状保持材の形状は、マスクの用途に応じて適宜決め得るが、通常、フィラメント、テープ、棒状、チューブなどの形状を有する。
【００１９】
＜マスク本体＞
本発明に係るマスクのマスク本体は、マスクとして使用されている素材であればとくに限定はされず、織布、不織布、ガーゼまたは通気性紙からなる。
【００２０】
マスク本体に使用される織布、不織布は、ポリプロピレン、ポリエチレンなどのポリオレフィン；ポリエチレンテレフタレート、ポリブチレンテレフタレート、ポリ乳酸などのポリエステル；６ナイロン、６６ナイロンなどのポリアミド；など種々公知の熱可塑性樹脂を用いて、種々公知の方法で得られる織布、不織布である。
【００２１】
これら素材の中でも、不織布が好ましく、とくにポリプロピレンスパンボンド不織布が剛性、通気性に優れるので好ましい。
【００２２】
＜マスク＞
本発明のマスクは、前記マスク本体の少なくとも一部に、延伸されたポリエステル樹脂からなる線状物を顔の凹凸に合うように加熱変形してなる形状保持材を具備してなる。例えば、具体的には、図１に示すように、耳掛け紐３を有するマスク１において、マスク本体２の上辺の鼻に当る箇所に形状保持材４を具備してなる。
【００２３】
マスク本体に、前記形状保持材を装着する方法としては、予め、ポリエステル樹脂の線状物を顔面の凹凸に合うように、加熱変形して得た形状保持材を用意した後、マスク本体に装着してもよいが、マスク本体にポリエステル樹脂の線状物を装着させた後、当該線状物を顔面の凹凸に合うように、加熱変形して形状保持材とする方法が、マスク本体に装着し易いので好ましい。
【００２４】
マスク本体へ線状物あるいは形状保持材を装着する方法としては、マスク本体の形状保持性を必要とする箇所、例えば、マスク本体上部の鼻に当たる箇所に線状物あるいは形状保持材を挿入あるいは貼付する方法を例示できる。マスク本体の素材として、熱可塑性樹脂から得られる不織布、例えば、ポリプロピレンスパンボンド不織布を用いる場合は、ポリエステル樹脂からなる線状物あるいは形状保持材とポリプロピレンスパンボンド不織布とを熱融着することにより、線状物あるいは形状保持材がマスク本体中でのずれを防止できる。
【実施例】
【００２５】
以下、実施例に基づいて本発明をさらに具体的に説明するが、本発明はこれらの実施例に限定されるものではない。
【００２６】
なお、実施例及び比較例における物性値等は、以下の方法により測定した。
【００２７】
［実施例１］
ポリエステル樹脂として、三井化学株式会社製のポリエチレンテレフタレート（商品名
三井ＰＥＴ  Ｊ０５５；ＩＶ：１．４）を用意し、幅３ｍｍ、長さ２０ｍｍの口金を備えた溶融押出成形機を用い、押出温度：２８０℃でテープ状物を押出し、６０℃の温水で冷却後、９８℃の熱水で４倍延伸した後、５０℃の温風下でアニールを行い、幅３.５ｍ
ｍ、厚み０．４５ｍｍの延伸線状物を得た。
【００２８】
次いで、ポリプロピレン製の「スパンボンド不織布／メルトブローン不織布／スパンボンド不織布」の３層の合計目付：６０ｇ／ｍ2からなる１７５×９５ｍｍのマスク本体の
上部に、上記延伸線状物を長さ：９０ｍｍにカットしたもの挿入した。
【００２９】
次いで、前記延伸線状物を挿入したマスク本体の上部を、図２の正面図ａ及び側面図ｂに示す、上型５および下型６からなる型枠７の下型６を加熱ヒーター８で７０℃に設定し、上型および下型間で５秒間挟み、鼻梁に合うように、加熱変形して、形状保持材を具備したマスクを作製した。
【００３０】
作製したマスクを男女５名づつのパネラーに着用してもらい、着用後３０分間経過した時に、図３に示す顔の各部位〔頬：Ａ部、眼下：Ｂ部、鼻高部：Ｃ部〕と形状保持材を具備したマスク本体の上部との隙間を測定した。表１に、パネラー１０名で測定した各部位の隙間の平均値を示す。
【００３１】
上記マスクから、加熱変形させた線状物である形状保持材を抜き出し、２３℃で、鼻高部のトップ（元の高さ：ｍｍ）を変計量１０ｍｍで５秒間押さえた後、応力を開放し、３０秒後の高さ（変形回復後の高さ：ｍｍ）を測定し、前記式（１）で、変形量１０ｍｍに対しての復元率を求めた。
評価結果を表１に示す。
【００３２】
［比較例１］
実施例１で用いたポリエチレンテレフタレートの延伸線状物に替えて、９０度曲げ後の戻り角度が９度のポリエチレン延伸物（三井化学株式会社製  商品名  テクノロートＨ２００００）を用いる以外は、実施例１と同様に行いマスクを作製した。得られたマスクを用い、実施例１と同様な方法で、マスクを評価した。評価結果を表１に示す。
【００３３】
【表１】
0005432668.tif 000002
【産業上の利用可能性】
【００３４】
本発明のマスクは、マスクと鼻骨などの顔面との隙間をなくすことができ、しかも、長時間装着してもずれ落ちに難い為、花粉、粉塵、ウイルスの侵入を防止用として、好適に使用し得る。
【符号の説明】
【００３５】
１    マスク
２    マスク本体
４    形状保持材
５    上型
６    下型
７    型枠
８    ヒーター
９    熱電対
【図１】
0005432668.tif 000003
【図２】
0005432668.tif 000004
【図３】
0005432668.tif 000005